【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
複数の送信アンテナから信号を送信する送信機であって、
前記複数の送信アンテナ間に遅延を与えて信号を送信する遅延送信ダイバーシチを行なうか否かによって送信信号帯域あたりのパイロットチャネル数を変化させるサブキャリア割当部を有することを特徴とする送信機。
【請求項２】
前記サブキャリア割当部は、
遅延送信ダイバーシチを行なう場合に、遅延送信ダイバーシチを行なわない場合に比べて送信信号帯域あたりのパイロットチャネル数を多く配置することを特徴とする請求項１に記載の送信機。
【請求項３】
前記サブキャリア割当部は、
遅延送信ダイバーシチの遅延量が所定の閾値より大きい場合に、送信信号帯域あたりのパイロットチャネル数を多く配置することを特徴とする請求項１に記載の送信機。
【請求項４】
前記所定の閾値は、所定の時間長と所定の周波数帯域とにより定まる領域の周波数帯域の逆数であることを特徴とする請求項３に記載の送信機。
【請求項５】
前記所定の閾値は、ユーザの占有周波数帯域の逆数であることを特徴とする請求項３に記載の送信機。
【請求項６】
前記サブキャリア割当部は、
遅延送信ダイバーシチの遅延量が増えるにつれて、送信信号帯域あたりのパイロットチャネル数を増加させることを特徴とする請求項１に記載の送信機。
【請求項７】
前記サブキャリア割当部は、
伝搬路を推定するための一連の直交符号が乗算されるパイロットチャネルが配置される周波数帯域幅よりも、送信アンテナの遅延時間の逆数が大きくなるようにパイロットチャネルを配置することを特徴とする請求項１に記載の送信機。
【請求項８】
前記サブキャリア割当部は、
送信信号帯域に必ず挿入する共通パイロットチャネルの配置間隔を変えることで送信信号帯域あたりのパイロットチャネル数を変化させることを特徴とする請求項１に記載の送信機。
【請求項９】
前記サブキャリア割当部は、
予め配置されたパイロットチャネルに、一時的に配置する個別パイロットチャネルを補間することにより、送信信号帯域あたりのパイロットチャネル数を変化させることを特徴とする請求項１に記載の送信機。
【請求項１０】
予め配置されたパイロットチャネルを補間する個別パイロットチャネルには、共通パイロットチャネルと個別パイロットチャネルに亘って直交性を保持するための符号系列を乗算するパイロット信号生成部を有することを特徴とする請求項９に記載の送信機。
【請求項１１】
前記パイロット信号生成部は、
個別パイロットチャネルには、共通パイロットチャネルに乗算しているＯＶＳＦ符号を循環シフトした系列を乗算することを特徴とする請求項１０に記載の送信機。
【請求項１２】
前記サブキャリア割当部は、
前記複数の送信アンテナ間に与える遅延量に従って遅延を付加するパイロットチャネル数を増やすことを特徴とする請求項１に記載の送信機。
【請求項１３】
前記サブキャリア割当部は、
遅延送信ダイバーシチを行なうか否かによらず配置されるパイロットチャネルの少なくとも一部に、前記複数の送信アンテナ間に与える遅延量に従って遅延を付加することを特徴とする請求項１２に記載の送信機。
【請求項１４】
前記遅延送信ダイバーシチを行なうか否かによらず配置されるパイロットチャネルは、送信信号帯域に必ず挿入する共通パイロットチャネルであることを特徴とする請求項１３に記載の送信機。
【請求項１５】
前記遅延送信ダイバーシチをするか否かによらず配置されるパイロットチャネルは、送信信号帯域に必ず挿入する共通パイロットチャネルと一時的に配置する個別パイロットチャネルとからなることを特徴とする請求項１３に記載の送信機。
【請求項１６】
前記サブキャリア割当部は、
前記遅延送信ダイバーシチをするか否かによらず配置されるパイロットチャネルに、一時的に配置する個別パイロットチャネルを付加することを特徴とする請求項１３に記載の送信機。
【請求項１７】
複数の送信アンテナから信号を送信する送信機であって、
前記複数の送信アンテナ間に遅延を与えて信号を送信する遅延送信ダイバーシチを行なう場合に、個別パイロットチャネルに遅延を付加するサブキャリア割当部を有することを特徴とする送信機。
【請求項１８】
前記サブキャリア割当部は、
前記複数の送信アンテナ間に遅延を与えて信号を送信する遅延送信ダイバーシチを行なう場合に、更に共通パイロットチャネルに遅延を付加することを特徴とする請求項１７に記載の送信機。
【請求項１９】
複数の送信アンテナから信号を送信する送信方法であって、
前記複数の送信アンテナ間に遅延を与えて信号を送信する遅延送信ダイバーシチを行なうか否かによって送信信号帯域あたりのパイロットチャネル数を変化させることを特徴とする送信方法。
【手続補正２】
【補正対象書類名】明細書
【補正対象項目名】００１０
【補正方法】変更
【補正の内容】
【００１０】
（１）  本発明は、上記課題を解決するためになされたもので、本発明の一態様による送信機は、複数の送信アンテナから信号を送信する送信機であって、前記複数の送信アンテナ間に遅延を与えて信号を送信する遅延送信ダイバーシチを行なうか否かによって送信信号帯域あたりのパイロットチャネル数を変化させるサブキャリア割当部を有する。
（２）  また、本発明の一態様による送信機の前記サブキャリア割当部は、遅延送信ダイバーシチを行なう場合に、遅延送信ダイバーシチを行なわない場合に比べて送信信号帯域あたりのパイロットチャネル数を多く配置する。
（３）  また、本発明の一態様による送信機の前記サブキャリア割当部は、遅延送信ダイバーシチの遅延量が所定の閾値より大きい場合に、送信信号帯域あたりのパイロットチャネル数を多く配置する。
（４）  また、本発明の一態様による送信機の前記所定の閾値は、所定の時間長と所定の周波数帯域とにより定まる領域の周波数帯域の逆数である。
（５）  また、本発明の一態様による送信機の前記所定の閾値は、ユーザの占有周波数帯域の逆数である。
（６）  また、本発明の一態様による送信機の前記サブキャリア割当部は、遅延送信ダイバーシチの遅延量が増えるにつれて、送信信号帯域あたりのパイロットチャネル数を増加させる。
（７）  また、本発明の一態様による送信機の前記サブキャリア割当部は、伝搬路を推定するための一連の直交符号が乗算されるパイロットチャネルが配置される周波数帯域幅よりも、送信アンテナの遅延時間の逆数が大きくなるようにパイロットチャネルを配置する。
（８）  また、本発明の一態様による送信機の前記サブキャリア割当部は、送信信号帯域に必ず挿入する共通パイロットチャネルの配置間隔を変えることで送信信号帯域あたりのパイロットチャネル数を変化させる。
（９）  また、本発明の一態様による送信機の前記サブキャリア割当部は、予め配置されたパイロットチャネルに、一時的に配置する個別パイロットチャネルを補間することにより、送信信号帯域あたりのパイロットチャネル数を変化させる。
（１０）  また、本発明の一態様による送信機の予め配置されたパイロットチャネルを補間する個別パイロットチャネルには、共通パイロットチャネルと個別パイロットチャネルに亘って直交性を保持するための符号系列を乗算するパイロット信号生成部を有する。
【手続補正３】
【補正対象書類名】明細書
【補正対象項目名】００１１
【補正方法】変更
【補正の内容】
【００１１】
（１１）  また、本発明の一態様による送信機の前記パイロット信号生成部は、個別パイロットチャネルには、共通パイロットチャネルに乗算しているＯＶＳＦ符号を循環シフトした系列を乗算する。
（１２）  また、本発明の一態様による送信機の前記サブキャリア割当部は、前記複数の送信アンテナ間に与える遅延量に従って遅延を付加するパイロットチャネル数を増やす。
（１３）  また、本発明の一態様による送信機の前記サブキャリア割当部は、遅延送信ダイバーシチを行なうか否かによらず配置されるパイロットチャネルの少なくとも一部に、前記複数の送信アンテナ間に与える遅延量に従って遅延を付加する。
（１４）  また、本発明の一態様による送信機の前記遅延送信ダイバーシチを行なうか否かによらず配置されるパイロットチャネルは、送信信号帯域に必ず挿入する共通パイロットチャネルである。
（１５）  また、本発明の一態様による送信機の前記遅延送信ダイバーシチをするか否かによらず配置されるパイロットチャネルは、送信信号帯域に必ず挿入する共通パイロットチャネルと一時的に配置する個別パイロットチャネルとからなる。
（１６）  また、本発明の一態様による送信機の前記サブキャリア割当部は、前記遅延送信ダイバーシチをするか否かによらず配置されるパイロットチャネルに、一時的に配置する個別パイロットチャネルを付加する。
（１７）  また、本発明の一態様による送信機の複数の送信アンテナから信号を送信する送信機であって、前記複数の送信アンテナ間に遅延を与えて信号を送信する遅延送信ダイバーシチを行なう場合に、個別パイロットチャネルに遅延を付加するサブキャリア割当部を有する。
（１８）  また、本発明の一態様による送信機の前記サブキャリア割当部は、前記複数の送信アンテナ間に遅延を与えて信号を送信する遅延送信ダイバーシチを行なう場合に、更に共通パイロットチャネルに遅延を付加する。
（１９）  また、本発明の一態様による送信方法は、複数の送信アンテナから信号を送信する送信方法であって、前記複数の送信アンテナ間に遅延を与えて信号を送信する遅延送信ダイバーシチを行なうか否かによって送信信号帯域あたりのパイロットチャネル数を変化させる。